(57)【要約】【課題】接続される移動機の種別を問わず、通信カードと端末装置との間で有効な信号を入出力することである。【解決手段】本発明に係る通信カード１０は、移動機識別部１１と、コマンド格納部１２と、コマンド領域切替部１３とを備える。コマンド格納部１２は、コマンド体系の異なる複数のパラメータと移動機の種別とが対応付けて格納されている。移動機識別部１１は、通信カード１０に接続された移動機の種別を識別する。コマンド領域切替部１３は、移動機識別部１１により識別された移動機の種別に対応するコマンド体系のパラメータの使用を決定する。【選択図】  図１
2004235893.tif 000002
【特許請求の範囲】
【請求項１】
入力信号体系と移動機の種別とを対応付けて格納する格納手段と、
通信カードに接続された移動機の種別を識別する識別手段と、
前記識別手段により識別された移動機の種別に対応する入力信号体系の使用を決定する決定手段と
を備えることを特徴とする通信カード。
【請求項２】
入力信号体系の異なる複数のパラメータと移動機の種別とを対応付けて格納する格納手段と、
通信カードに接続された移動機の種別を識別する識別手段と、
前記識別手段により識別された移動機の種別に対応する入力信号体系のパラメータの使用を決定する決定手段と
を備えることを特徴とする通信カード。
【請求項３】
請求項２に記載の通信カードと信号の入出力を行う端末装置において、
使用される入力信号体系のパラメータの切替えを指示する指示手段と、
前記指示手段により切替えが指示された入力信号体系のパラメータに対して、数値を設定する設定手段と
を備えることを特徴とする端末装置。
【請求項４】
通信カードが、入力信号体系と移動機の種別とを対応付けて格納手段に格納する格納ステップと、
前記通信カードが、該通信カードに接続された移動機の種別を識別する識別ステップと、
前記通信カードが、前記識別ステップにて識別された移動機の種別に対応する入力信号体系の使用を決定する決定ステップと
を含むことを特徴とする、通信カードにおける入力信号体系の決定方法。
【請求項５】
通信カードが、入力信号体系の異なる複数のパラメータと移動機の種別とを対応付けて格納手段に格納する格納ステップと、
前記通信カードが、該通信カードに接続された移動機の種別を識別する識別ステップと、
前記通信カードが、前記識別ステップにて識別された移動機の種別に対応する入力信号体系のパラメータの使用を決定する決定ステップと
を含むことを特徴とする、通信カードにおける入力信号体系の決定方法。
【発明の詳細な説明】
【０００１】
【発明の属する技術分野】
本発明は、通信カード、端末装置に関する。
【０００２】
【従来の技術】
近年、無線通信技術の発達に伴い、携帯電話やＰＨＳ等の移動機とパーソナルコンピュータ（以下、「ＰＣ」と記す。）との間で各種信号の入出力を中継する通信カードが実用化されている。ユーザは、ＰＣのカードスロットに通信カードを装着し、通信カードに移動機を有線接続することにより、移動機を介して所望のデータをＰＣに取り込んだり、外部に発信することができる（例えば、特許文献１参照。）。
【０００３】
【特許文献１】
特開平１０−１７７５３５号公報
【０００４】
【発明が解決しようとする課題】
しかしながら、上記従来技術では、以下に示すような問題点があった。すなわち、通信カードに接続される移動機には、ＦＯＭＡ（Ｆｒｅｅｄｏｍ  Ｏｆ  Ｍｏｂｉｌｅ  ｍｕｌｔｉｍｅｄｉａ  Ａｃｃｅｓｓ、登録商標）等の第三世代携帯電話、ＰＤＣ（Ｐｅｒｓｏｎａｌ  Ｄｉｇｉｔａｌ  Ｃｅｌｌｕｌａｒ）方式の携帯電話、ＰＨＳ（Ｐｅｒｓｏｎａｌ  Ｈａｎｄｙｐｈｏｎｅ  Ｓｙｓｔｅｍ）など、様々な種別のものがある。また、各移動機の種別によって使用されるコマンド（入力信号の一例）が異なる。このため、ユーザは、使用する移動機に応じて、ＰＣに装着する通信カードを変更しなければならず、データ通信時の利便性を損ねることがあった。
【０００５】
そこで、本発明の課題は、接続される移動機の種別を問わず、通信カードと端末装置との間で有効な信号の入出力を可能とすることである。
【０００６】
【課題を解決するための手段】
上記課題を解決するために、本発明に係る通信カードは、入力信号（例えばコマンド）の体系と移動機の種別とを対応付けて格納する格納手段と、通信カードに接続された移動機の種別を識別する識別手段と、前記識別手段により識別された移動機の種別に対応する入力信号体系（例えばコマンド体系）の使用を決定する決定手段とを備える。
【０００７】
本発明に係る、通信カードにおける入力信号体系の決定方法は、通信カードが入力信号（例えばコマンド）の体系と移動機の種別とを対応付けて格納手段に格納する格納ステップと、前記通信カードが該通信カードに接続された移動機の種別を識別する識別ステップと、前記通信カードが前記識別ステップにて識別された移動機の種別に対応する入力信号体系（例えばコマンド体系）の使用を決定する決定ステップとを含む。
【０００８】
本発明によれば、通信カードに接続された移動機の種別が識別され、該移動機の種別に対応する入力信号体系の使用が決定される。したがって、通信カードが装着された端末装置は、通信カードにて決定された入力信号体系に準じた各種信号の入出力を行うことができる。これにより、通信カードに接続される移動機の種別を問わず、端末装置との間で有効な信号の入出力を単体で行う通信カードを提供することが可能となる。
【０００９】
本発明に係る通信カードにおいては、入力信号体系（例えばコマンド体系）の異なる複数のパラメータと移動機の種別とを対応付けて格納する格納手段と、通信カードに接続された移動機の種別を識別する識別手段と、前記識別手段により識別された移動機の種別に対応する入力信号体系のパラメータの使用（パラメータに対する数値設定）を決定する決定手段とを備えることもできる。
【００１０】
本発明に係る、通信カードにおける入力信号体系の決定方法においては、通信カードが入力信号体系の異なる複数のパラメータと移動機の種別とを対応付けて格納手段に格納する格納ステップと、前記通信カードが該通信カードに接続された移動機の種別を識別する識別ステップと、前記通信カードが前記識別ステップにて識別された移動機の種別に対応する入力信号体系のパラメータの使用を決定する決定ステップとを含むこともできる。
【００１１】
本発明によれば、通信カードに接続された移動機の種別が識別され、該移動機の種別に対応する入力信号体系のパラメータの使用が決定される。したがって、通信カードが装着された端末装置は、通信カードにて決定された入力信号体系のパラメータに所与の数値（例えば１や０）を設定して、通信カードとの間で各種信号の入出力を行うことができる。これにより、通信カードに接続される移動機の種別を問わず、端末装置との間で有効な信号の入出力を単体で行う通信カードを提供することが可能となる。
【００１２】
本発明に係る端末装置は、上述した通信カードと信号の入出力を行う端末装置において、使用される入力信号体系（例えばコマンド体系）のパラメータの切替えを指示する指示手段と、前記指示手段により切替えが指示された入力信号体系のパラメータに対して、数値を設定する設定手段とを備える。
【００１３】
本発明によれば、通信カードにおいて使用される入力信号体系のパラメータの切替えが指示され、指示された入力信号体系のパラメータに対して、所与の数値が設定される。これにより、通信カードが装着された端末装置は、自ら選択した入力信号体系のパラメータに、例えば１や０の数値を設定して、通信カードとの間で各種信号の入出力を行うことができる。したがって、通信カードに接続される移動機の種別を問わず、端末装置との間で有効な信号の入出力を単体で行う通信カードを提供することが可能となる。
【００１４】
【発明の実施の形態】
まず、本発明の一実施の形態としての通信カードの構成について説明する。
図１は、本実施の形態における通信カード１０の機能的構成を示すブロック図である。図１に示す様に、通信カード１０は、ＰＣ（Ｐｅｒｓｏｎａｌ  Ｃｏｍｐｕｔｅｒ）２０のカードスロットに着脱自在に装着され、ＰＣ２０との間で各種信号の入出力を行う。また、通信カード１０は、ケーブルＣを介して携帯電話３０と有線接続され、携帯電話３０との間で各種信号の入出力を行う。これにより、端末装置としてのＰＣ２０は、通信網Ｎを経由して送信される所望のデータを取得すると共に、通信網Ｎに接続された他の端末装置宛にデータを発信することが可能となる。
【００１５】
通信カード１０は、機能的には、移動機識別部１１（識別手段に対応）と、コマンド格納部１２（格納手段に対応）と、コマンド領域切替部１３（決定手段に対応）とを備えて構成される。更に、コマンド格納部１２は、後述のＦＯＭＡ用コマンド領域１２１と、ＰＤＣ用コマンド領域１２２と、ＰＨＳ用コマンド領域１２３とを内部に有する。
【００１６】
ここで、コマンド格納部１２は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の内蔵メモリに対応する。その他の構成要素である移動機識別部１１と、コマンド領域切替部１３とは、上記内蔵メモリに格納されたソフトウェアがコントローラによって実行されることにより実現する。
【００１７】
以下、通信カード１０の各構成要素について詳細に説明する。
移動機識別部１１は、携帯電話３０などの移動機が通信カード１０に接続されると、移動機のピンコネクタの配置を参照して移動機の種別を識別する。移動機の種別とは、例えば、ＦＯＭＡ（登録商標）等の第三世代携帯電話、ＰＤＣ方式の携帯電話、ＰＨＳなどである。
【００１８】
コマンド格納部１２は、ＦＯＭＡ用コマンド領域１２１と、ＰＤＣ用コマンド領域１２２と、ＰＨＳ用コマンド領域１２３とを有する。図２は、ＦＯＭＡ用コマンド領域１２１に格納されているコマンドの例と機能を示す図である。図２に示す様に、ＦＯＭＡ用コマンド領域１２１は、コマンド格納領域１２１ａと機能格納領域１２１ｂとを有する。
【００１９】
コマンド格納領域１２１ａには、ＦＯＭＡで許容されているＡ，Ａ／，Ｄ等のＡＴ（ＡＴｔｅｎｔｉｏｎ）コマンドが予め格納されている。これらのコマンドはパラメータを有し、このパラメータには０，１等の数値を代入することが可能である。機能格納領域１２１ｂには、対応するコマンドの機能（例えば、手動着信、コマンドの再実行、発信など）が格納されている。
【００２０】
図３は、ＰＤＣ用コマンド領域１２２に格納されているコマンドの例と機能を示す図である。図３に示す様に、ＰＤＣ用コマンド領域１２２は、コマンド格納領域１２２ａと機能格納領域１２２ｂと種別格納領域１２２ｃとを有する。
【００２１】
コマンド格納領域１２２ａには、ＰＤＣで許容されているＡ，Ａ／，Ｂ等のＡＴコマンドが予め格納されている。これらのコマンドはパラメータを有し、パラメータには０，１等の数値を代入することが可能である。機能格納領域１２２ｂには、対応するコマンドの機能（例えば、アンサーコマンド、コマンドの反復、規格の選択など）が予め格納されている。
【００２２】
種別格納領域１２２ｃには、対応するコマンドが使用される移動機の種別が予め格納されている。本実施の形態では、ＰＤＣとＰＨＳ兼用の移動機が使用されることを想定して、ＰＤＣ用コマンド領域１２２及びＰＨＳ用コマンド領域１２３には、同一のコマンドを格納する。このため、各々のコマンドが何れの種別の移動機により使用されるものであるかを識別する必要がある。そこで、ＰＤＣ用コマンド領域１２２の内部に種別格納領域１２２ｃを設け、使用される移動機の種別を識別可能にする。
【００２３】
すなわち、ＰＨＳ用コマンド領域１２３は、ＰＤＣ用コマンド領域１２２と同一の構成を有し、コマンド格納領域と機能格納領域と種別格納領域とを備える。なお、ＰＤＣ用コマンド領域１２２とＰＨＳ用コマンド領域１２３とは、それぞれの移動機に専用のコマンド群のみを格納する構成としても勿論よい。
【００２４】
コマンド領域切替部１３は、ＰＣ２０の領域切替指示部２１から入力される切替え指示に従って、パラメータに対する数値の設定先となるコマンド領域を切り替える。また、コマンド領域切替部１３は、ＰＣ２０の数値設定部２２から入力される数値を、使用が決定されたコマンド領域内のコマンドの有するパラメータに設定（代入）する。
【００２５】
続いて、ＰＣ２０の各構成要素について詳細に説明する。
領域切替指示部２１は、通信カード１０のコマンド領域切替部１３に対して、コマンド領域の切替えを指示する信号を出力する。
数値設定部２２は、通信カード１０のコマンド領域切替部１３に対して、所望のコマンド領域内のパラメータに設定される数値を出力する。
【００２６】
次に、図４及び図５を参照して、通信カード１０の動作について説明する。図４は、ＦＯＭＡ，ＰＤＣ，ＰＨＳ用の各コマンド領域１２１，１２２，１２３内のパラメータ値が遷移する過程を概念的に示すフローチャートである。図４においては、簡単の為、ＦＯＭＡ用コマンド領域１２１を領域▲１▼と記し、ＰＤＣ用コマンド領域１２２、ＰＨＳ用コマンド領域１２３をそれぞれ領域▲２▼、領域▲３▼と記す。
【００２７】
また、図４のＥ１に示す様に、領域▲１▼〜▲３▼の各領域内にはパラメータＱ，Ｖ，Ｘが存在し、Ｑ＝０，Ｖ＝０，Ｘ＝４が初期値として設定されている。
なお、各領域に予め存在するパラメータ及び設定値は、領域毎に異なるものであってもよい。
【００２８】
Ｓ１では、ＰＣ２０から通信カード１０に対して、パラメータの設定対象となるコマンド領域を領域▲１▼に決定するための指示信号（ＡＴ＋ＭＣＨＮＧ＝１）が出力される。この時点では、図４のＥ２に示す様に、依然としてパラメータＱ，Ｖ，Ｘには、それぞれ０，０，４が設定されている。
Ｓ２では、通信カード１０からＰＣ２０に対して、上記指示信号の入力が正常に行われたことを通知するための応答信号（ＯＫ）が出力される。
【００２９】
Ｓ３では、ＰＣ２０から通信カード１０に対して、パラメータＶに１を設定するためのコマンド（ＡＴ  Ｖ＝１）が出力される。当該コマンドの出力に伴い、領域▲１▼のパラメータＶに“１”が設定される。その結果、図４のＥ３に示す様に、領域▲１▼に対応するパラメータは、Ｑ＝０，Ｖ＝０，Ｘ＝４からＱ＝０，Ｖ＝１，Ｘ＝４に変更される。
Ｓ４では、通信カード１０からＰＣ２０に対して、上記コマンドの入力が正常に完了したことを通知するための応答信号（ＯＫ）が出力される。
【００３０】
更に、Ｓ５では、ＰＣ２０から通信カード１０に対して、パラメータの設定対象となるコマンド領域を領域▲１▼から領域▲２▼に切り替えるための指示信号（ＡＴ＋ＭＣＨＮＧ＝２）が出力される。
Ｓ６では、通信カード１０からＰＣ２０に対して、上記指示信号の入力が正常に行われたことを通知するための応答信号（ＯＫ）が出力される。
【００３１】
Ｓ７では、ＰＣ２０から通信カード１０に対して、パラメータＶに１を設定するためのコマンド（ＡＴ  Ｖ＝１）が出力される。当該コマンドの出力に伴い、領域▲２▼のパラメータＶに“１”が設定される。その結果、図４のＥ６に示す様に、領域▲２▼に対応するパラメータは、Ｑ＝０，Ｖ＝０，Ｘ＝４からＱ＝０，Ｖ＝１，Ｘ＝４に変更される。
Ｓ８では、通信カード１０からＰＣ２０に対して、上記コマンドの入力が正常に完了したことを通知するための応答信号（ＯＫ）が出力される。
【００３２】
すなわち、Ｓ３とＳ７とにおいて同一のコマンドが入出力されているにも拘わらず、パラメータの設定領域として有効なコマンド領域が異なるため、異なる形態のパラメータ設定が可能となる。
【００３３】
次いで、図５は、通信カード１０により実行制御されるコマンド体系の切替え処理を説明するためのフローチャートである。図５に示す様に、通信カード１０に移動機（例えば、携帯電話３０）が接続されると（Ｔ１）、移動機識別部１１により、移動機のピン配置を参照して移動機の種別が識別される（Ｔ２）。そして、Ｔ３では、Ｔ２の識別結果に基づいて、三種類のコマンド領域１２１，１２２，１２３の中から、実際に使用されるコマンド体系のパラメータを有するコマンド領域が選択される。
【００３４】
以上説明した様に、本実施の形態における通信カード１０によれば、移動機識別部１１は、通信カード１０に接続された携帯電話３０に対して移動機種別の判定を行い、コマンド領域切替部１３は、該移動機種別に対応するコマンド体系のパラメータの使用を決定する。換言すれば、通信カード１０は、接続された移動機用のパラメータに対する数値設定を許可する。
【００３５】
これにより、通信カード１０が装着されたＰＣ２０は、通信カード１０にて決定されたコマンド体系のパラメータに所与の数値（例えば１や０）を設定して、通信カード１０との間で各種信号の入出力を行うことができる。したがって、通信カード１０に接続される移動機種別を問わず、ＰＣ２０との間で有効な信号の入出力を単体で行う通信カード１０を提供することが可能となる。
【００３６】
なお、本発明は、上述した実施の形態に限定されるものではなく、その趣旨を逸脱しない範囲において、適宜変形態様を採ることも可能である。例えば、本実施の形態では、移動機の種別に応じて、所定のコマンド体系に準じたパラメータが決定されるものとしたが、信号の入出力に使用されるコマンド体系自体が決定されるものとしても勿論よい。
【００３７】
また、本実施の形態では、ＰＣ２０からの切替え指示に従って、通信カード１０が使用するコマンド領域の切替えを行うものとした。しかし、図１の矢印Ａに示す様に、移動機識別部１１が、移動機種別の識別結果をコマンド領域切替部１３に通知した後、コマンド領域切替部１３が、この識別結果に対応するコマンド領域への切替えを行うものとしてもよい。
【００３８】
【発明の効果】
本発明によれば、接続される移動機の種別を問わず、端末装置との間で有効な信号を入出力することが可能となる。
【図面の簡単な説明】
【図１】本発明に係る通信カード及びＰＣの機能的構成を示すブロック図である。
【図２】ＦＯＭＡ用コマンド領域に格納されるコマンドの例を示す図である。
【図３】ＰＤＣ用コマンド領域及びＰＨＳ用コマンド領域に格納されるコマンドの例を示す図である。
【図４】ＰＣと通信カード間における信号の入出力に応じて、各コマンド領域内のパラメータが遷移する過程を概念的に示すフローチャートである。
【図５】コマンド体系の切替え処理を説明するためのフローチャートである。
【符号の説明】
１０…通信カード、１１…移動機識別部、１２…コマンド格納部、１３…コマンド領域切替部、２０…ＰＣ、２１…領域切替指示部、２２…数値設定部、３０…携帯電話
【図１】
2004235893.tif 000003
【図２】
2004235893.tif 000004
【図３】
2004235893.tif 000005
【図４】
2004235893.tif 000006
【図５】
2004235893.tif 000007